(57)【特許請求の範囲】
【請求項１】
原稿圧着板を事務機器の装置本体に対し開閉可能に取り付ける原稿圧着板開閉装置であって、前記原稿圧着板の前記原稿圧着板開閉装置に対する取付位置を前後方向に調節して前記原稿圧着板の前記装置本体に対する取付位置を調節できる原稿圧着板前後位置調節手段を設けたものにおいて、前記原稿圧着板開閉装置を、前記装置本体側に取り付けられる取付部材と、この取付部材にヒンジシャフトを介して回動可能に取り付けられたところの前記原稿圧着板を支持する支持部材と、この支持部材と前記取付部材との間に設けられた前記支持部材を前記原稿圧着板の開成方向へ付勢する弾性手段と、を有するものとし、前記原稿圧着板前後位置調節手段を、前記支持部材の前記原稿圧着板を取り付ける部分に設けた取付ネジ用の取付長孔と、この取付長孔を介して前記原稿圧着板を前記支持部材へ取り付ける取付ネジと、前記原稿圧着板の後面側を向く仕切壁とこの仕切壁に対向する前記支持部材の頂板との間に当該頂板に取り付けてその頭部を前記仕切壁に当接させた調節ネジと、この調節ネジに取り付けた締付ナットと、で構成したことを特徴とする、原稿圧着板開閉装置。
【請求項２】
前記弾性手段は、前記支持部材内部にスライド可能に収装された当該支持部材の自由端側の第１スライダーと前記取付部材側の第２スライダーの間に弾設されており、前記第２スライダーは前記取付部材側に設けたカム部材或は受圧部材に当接していることを特徴とする、請求項１に記載の原稿圧着板開閉装置。
【請求項３】
原稿圧着板を事務機器の装置本体に対し開閉可能に取り付ける原稿圧着板開閉装置であって、前記原稿圧着板の前記原稿圧着板開閉装置に対する取付位置を前後方向に調節して前記原稿圧着板の前記装置本体に対する取付位置を調節できる原稿圧着板前後位置調節手段を設けたものにおいて、前記原稿圧着板開閉装置を、前記装置本体側に取り付けられる取付部材と、この取付部材に第１ヒンジシャフトを介して回動可能に取り付けられたところの前記原稿圧着板を支持する支持部材と、この支持部材の自由端側に第２ヒンジシャフトを介して当該支持部材とは反対方向へ回転するように取り付けられた前記原稿圧着板を支持するリフト部材と、このリフト部材と前記取付部材との間に設けたところの当該リフト部材を介して前記原稿圧着板を開成方向へ付勢する弾性手段と、を有するものとし、前記原稿圧着板前後位置調節手段を、前記リフト部材の前記原稿圧着板を取り付ける部分に設けた取付ネジ用の取付長孔と、この取付長孔を介して前記原稿圧着板を前記リフト部材へ取り付ける取付ネジと、前記原稿圧着板の後面側を向く仕切壁とこの仕切壁に対向する前記リフト部材の頂板との間に当該頂板に取り付けてその頭部を前記仕切壁に当接させた調節ネジと、この調節ネジに取り付けた締付ナットと、で構成したことを特徴とする、原稿圧着板開閉装置。
【請求項４】
前記弾性手段は、前記支持部材内部にスライド可能に収装され前記リフト部材の第２ヒンジシャフトの支点を超えた側に設けた作動部材に当接する第１スライダーと前記取付部材側に位置する第２スライダーの間に弾設されており、前記第２スライダーは前記取付部材側に設けたカム或は受圧部材に当接していることを特徴とする、請求項３に記載の原稿圧着板開閉装置。
【請求項５】
前記取付部材は、前記装置本体に設けた取付孔に挿脱可能に取り付けられる一本脚形状のものであることを特徴とする、請求項１或は３のいずれか１項に記載の原稿圧着板開閉装置。
【請求項６】
前記原稿圧着板開閉装置が、リフト部材を有する場合には、前記原稿圧着板前後位置調節手段は作動部材に設けられ、前記リフト部材の前記原稿圧着板を取り付ける部分に設けた取付ネジ用の取付長孔と、この取付長孔を介して前記原稿圧着板を前記リフト部材へ取り付ける取付ネジと、前記原稿圧着板の後面側を向く仕切壁とこの仕切壁に対向する前記作動部材との間に当該作動部材に取り付けてその頭部を前記仕切壁に当接させる調節ネジと、この調節ネジに取り付けた締付ナットと、で構成したことを特徴とする、請求項３に記載の原稿圧着板開閉装置。
【請求項７】
原稿圧着板を事務機器の装置本体に対し開閉可能に取り付ける原稿圧着板開閉装置であって、前記原稿圧着板の前記原稿圧着板開閉装置に対する取付位置を前後方向に調節して前記原稿圧着板の前記装置本体に対する取付位置を調節できる原稿圧着板前後位置調節手段を設けたものにおいて、前記原稿圧着板開閉装置は、前記装置本体へ取り付ける筒状の取付脚部から成る取付部材と、この取付部材の中に収装された弾性手段及びカムスライダーと、前記取付脚部の上部に設けた取付部にヒンジシャフトを介して回転可能に取り付けられた原稿圧着板を支持する支持部材とで構成し、前記支持部材へ取り付けたカム部がスライダーの上面と圧接するように成すと共に、前記原稿圧着板前後位置調節手段を、前記支持部材の前記原稿圧着板を取り付ける部分に設けた取付ネジ用の取付長孔と、この取付長孔を介して前記原稿圧着板を前記支持部材へ取り付ける取付ネジと、前記原稿圧着板の後面側を向く仕切壁とこの仕切壁に対向する前記支持部材の頂板との間に当該頂板に取り付けてその頭部を前記仕切壁に当接させた調節ネジと、この調節ネジに取り付けた締付ナットと、で構成したことを特徴とする、原稿圧着板開閉装置。
【請求項８】
前記請求項１〜７のいずれか１項に記載の原稿圧着板開閉装置を備えたことを特徴とする、事務機器。
【請求項９】
事務機器の装置本体と原稿圧着板とを左右一対の原稿圧着板開閉装置により連結する場合において、少なくともその一方を前記請求項１〜７のいずれか１項に記載の原稿圧着板開閉装置により連結したことを特徴とする、請求項８に記載の事務機器。
【発明の詳細な説明】
【技術分野】
【０００１】
本発明は、複写機、印刷機、ファクシミリ、スキャナー等の事務機器の原稿圧着板を事務機器の装置本体へ開閉可能に取り付ける原稿圧着板開閉装置及びこの原稿圧着板開閉装置を備えた事務機器に関するものである。
【背景技術】
【０００２】
複写機、印刷機、ファクシミリ、スキャナー等の事務機器の装置本体には、この装置本体に備えたコンタクトガラスの上面を覆う原稿圧着板が装置本体の上面後部に一対の原稿圧着板開閉装置を介して開閉可能に取り付けられている。
この原稿圧着板開閉装置は、一種のヒンジ機構であり、原稿圧着板をヒンジ軸まわりに回動可能に軸支して、装置本体の上面のコンタクトガラス上に原稿圧着板を圧着させることができると共に、そのコンタクトガラスを露出させることができる。
そのような原稿圧着板開閉装置は、事務機器の装置本体に取り付けられる取付部材と、この取付部材にヒンジシャフトを介して回動可能に設けられていると共に原稿圧着板を支持する支持部材と、支持部材と取付部材との間に設けられ、支持部材を開成方向へ付勢する弾性手段とを備えている。この弾性手段によって支持部材を介して原稿圧着板が開成方向に回転付勢されているので、原稿圧着板を開成方向に回転するときには、弾性手段の弾力により本来の重量を感じさせることなく原稿圧着板を開くことができるようになっている。また、上記の如き原稿圧着板には自動原稿送り装置［以下、単にＡＤＦ（Automatic Document Feeder）という。］を取り付けたものも広く用いられている。本発明において原稿圧着板とはこのＡＤＦ付きのものも含んでいる。
このような原稿圧着板開閉装置によって開閉される原稿圧着板は、当然にコンタクトガラスに対して平行な位置に取り付けられることが望まれるが、寸法誤差、原稿圧着板の設置位置の誤差などから、平行位置（前後位置）に誤差が生じるのは避けらない。原稿圧着板においては、これを水平にしたときの左右端の前後位置がズレていると、原稿圧着板がコンタクトガラス上に正しくセットされず、ずれが生じ不体裁である上に、ＡＤＦの構成によっては、コンタクトガラス上に原稿を送り込む際に、原稿がコンタクトガラス上で斜め方向に移動され、スキャン画像が傾いたり、原稿に皺ができたり、紙詰まりを生じたりするなどの問題が生じた。
そこで前記原稿圧着板を取り付ける場合の原稿圧着板の前後方向の取付位置を調節するための手段を設けた原稿圧着板開閉装置が下記特許文献１〜２に開示されている。
【先行技術文献】
【特許文献】
【０００３】
【特許文献１】特許第３６４１３５７号公報
【特許文献２】特許第４３５１５９７号公報
【発明の概要】
【発明が解決しようとする課題】
【０００４】
しかしながら、特許文献１、２に記載されているものは、原稿圧着板開閉装置の側に装置本体に対してその前後方向の取り付け位置を調節できる調節手段が設けられていることから、部品点数が多くなり、原稿圧着板開閉装置のコストアップの原因の一つとなっていた。
【０００５】
本発明の目的は、上記問題点を解決し、原稿圧着板開閉装置に対する原稿圧着板の前後位置の調節を、簡単な構造で、しかも正確に行える原稿圧着板開閉装置及びこれを備えた事務機器を提供せんとするにある。
【課題を解決するための手段】
【０００６】
前記の目的を達成するため、本発明に係る原稿圧着板開閉装置は、原稿圧着板を事務機器の装置本体に対し開閉可能に取り付ける原稿圧着板開閉装置であって、前記原稿圧着板の前記原稿圧着板開閉装置に対する取付位置を前後方向に調節して前記原稿圧着板の前記装置本体に対する取付位置を調節できる原稿圧着板前後位置調節手段を設けたものにおいて、前記原稿圧着板開閉装置を、前記装置本体側に取り付けられる取付部材と、この取付部材にヒンジシャフトを介して回動可能に取り付けられたところの前記原稿圧着板を支持する支持部材と、この支持部材と前記取付部材との間に設けられた前記支持部材を前記原稿圧着板の開成方向へ付勢する弾性手段と、を有するものとし、前記原稿圧着板前後位置調節手段を、前記支持部材の前記原稿圧着板を取り付ける部分に設けた取付ネジ用の取付長孔と、この取付長孔を介して前記原稿圧着板を前記支持部材へ取り付ける取付ネジと、前記原稿圧着板の後面側を向く仕切壁とこの仕切壁に対向する前記支持部材の頂板との間に当該頂板に取り付けてその頭部を前記仕切壁に当接させた調節ネジと、この調節ネジに取り付けた締付ナットと、で構成したことを特徴とする。
【０００７】
その際に、本発明は、前記弾性手段を、前記支持部材内部にスライド可能に収装された当該支持部材の自由端側の第１スライダーと前記取付部材側の第２スライダーの間に弾設させ、前記第２スライダーは前記取付部材側に設けたカム部材或は受圧部材に当接させることができる。
本発明はまた、原稿圧着板を事務機器の装置本体に対し開閉可能に取り付ける原稿圧着板開閉装置であって、前記原稿圧着板の前記原稿圧着板開閉装置に対する取付位置を前後方向に調節して前記原稿圧着板の前記装置本体に対する取付位置を調節できる原稿圧着板前後位置調節手段を設けたものにおいて、前記原稿圧着板開閉装置を、前記装置本体側に取り付けられる取付部材と、この取付部材に第１ヒンジシャフトを介して回動可能に取り付けられたところの前記原稿圧着板を支持する支持部材と、この支持部材の自由端側に第２ヒンジシャフトを介して当該支持部材とは反対方向へ回転するように取り付けられた前記原稿圧着板を支持するリフト部材と、このリフト部材と前記取付部材との間に設けたところの当該リフト部材を介して前記原稿圧着板を開成方向へ付勢する弾性手段と、を有するものとし、前記原稿圧着板前後位置調節手段を、前記リフト部材の前記原稿圧着板を取り付ける部分に設けた取付ネジ用の取付長孔と、この取付長孔を介して前記原稿圧着板を前記リフト部材へ取り付ける取付ネジと、前記原稿圧着板の後面側を向く仕切壁とこの仕切壁に対向する前記リフト部材の頂板との間に当該頂板に取り付けてその頭部を前記仕切壁に当接させた調節ネジと、この調節ネジに取り付けた締付ナットと、で構成したことを特徴とする。
その際に、本発明は、前記弾性手段を、前記支持部材内部にスライド可能に収装され前記リフト部材の第２ヒンジシャフトの支点を超えた側に設けた作動部材に当接する第１スライダーと前記取付部材側に位置する第２スライダーの間に弾設させ、前記第２スライダーは前記取付部材側に設けたカム或は受圧部材に当接させたことを特徴とする。
本発明はまた、前記取付部材を、前記装置本体に設けた取付孔に挿脱可能に取り付けられる一本脚形状のものとしたことを特徴とする。
本発明はさらに、前記原稿圧着板開閉装置が、リフト部材を有する場合には、前記原稿圧着板前後位置調節手段は作動部材に設けられ、前記リフト部材の前記原稿圧着板を取り付ける部分に設けた取付ネジ用の取付長孔と、この取付長孔を介して前記原稿圧着板を前記リフト部材へ取り付ける取付ネジと、前記原稿圧着板の後面側を向く仕切壁とこの仕切壁に対向する前記作動部材との間に当該作動部材に取り付けてその頭部を前記仕切壁に当接させる調節ネジと、この調節ネジに取り付けた締付ナットと、で構成したことを特徴とする。
本発明はさらに、原稿圧着板を事務機器の装置本体に対し開閉可能に取り付ける原稿圧着板開閉装置であって、前記原稿圧着板の前記原稿圧着板開閉装置に対する取付位置を前後方向に調節して前記原稿圧着板の前記装置本体に対する取付位置を調節できる原稿圧着板前後位置調節手段を設けたものにおいて、前記原稿圧着板開閉装置は、前記装置本体へ取り付ける筒状の取付脚部から成る取付部材と、この取付部材の中に収装された弾性手段及びカムスライダーと、前記取付脚部の上部に設けた取付部にヒンジシャフトを介して回転可能に取り付けられた原稿圧着板を支持する支持部材とで構成し、前記支持部材へ取り付けたカム部がスライダーの上面と圧接するように成すと共に、前記原稿圧着板前後位置調節手段を、前記支持部材の前記原稿圧着板を取り付ける部分に設けた取付ネジ用の取付長孔と、この取付長孔を介して前記原稿圧着板を前記支持部材へ取り付ける取付ネジと、前記原稿圧着板の後面側を向く仕切壁とこの仕切壁に対向する前記支持部材の頂板との間に当該頂板に取り付けてその頭部を前記仕切壁に当接させた調節ネジと、この調節ネジに取り付けた締付ナットと、で構成したことを特徴とする。
本発明はまた、前記いずれかに記載の原稿圧着板開閉装置を備えたことを特徴とする、事務機器である。
そして本発明は、事務機器の装置本体と原稿圧着板とを左右一対の原稿圧着板開閉装置により連結する場合においては、少なくともその一方を前記原稿圧着板開閉装置としたことを特徴とする、事務機器である。
【発明の効果】
【０００８】
本発明に係る原稿圧着板開閉装置は、上記の如く、原稿圧着板における後方を向く面に対向する前記原稿圧着板開閉装置上の部位から前方へ向けて突出する、長さ調節が可能な原稿圧着板前後位置調節手段を設けたので、この調節手段の長さを調節し、その頂部が原稿圧着板における後方を向く面と当接するように調節することにより、当該原稿圧着板の前後位置を容易に調節できるものである。
また、前記原稿圧着板前後位置調節手段を、前記原稿圧着板又は当該原稿圧着板を取り付ける前記原稿圧着板開閉装置の構成部材のいずれか一方或は双方に設けた取付長孔と、前記原稿圧着板における後方を向く面に対向する前記原稿圧着板開閉装置の構成部材から前方へ向けて突出するところの長さ調節可能な調節部材と、前記取付長孔を介して前記原稿圧着板を取り付ける取付ネジと、により構成することにより、コストダウンを図ることのできる簡単な構造で、原稿圧着板開閉装置に対する原稿圧着板の前後方向の取付位置の正確な調節を行うことが可能になる。
【０００９】
前記原稿圧着板前後位置調節手段は、使用状況に応じて原稿圧着板開閉装置のリフト部材、支持部材又は第２ヒンジシャフトのうちから選ばれたいずれかの部材に取り付けることが可能であるので、適用場面が広く、多くの使用状況に対応できる。
【００１０】
また、本発明に係る前記構成の原稿圧着板開閉装置を備えた事務機器であれば、前記と同様に、簡単な構造でありながら、原稿圧着板開閉装置に対する原稿圧着板の前後位置の正確な調節を行うことができる。
事務機器の左右一対の原稿圧着板開閉装置として、少なくともその一方の原稿圧着板開閉装置として本発明に係る前記の原稿圧着板開閉装置を用いることにより、原稿圧着板がコンタクトガラス上で前後方向に斜めに傾いている場合に、これを容易に修正することができる。
【図面の簡単な説明】
【００１１】
【図１】本発明に係る原稿圧着板開閉装置の一実施例を示す斜視図である。
【図２】図１に示した原稿圧着板開閉装置の分解斜視図である。
【図３】図１に示した原稿圧着板開閉装置の概略側断面図である。
【図４】図１に示した原稿圧着板開閉装置を事務機の後端部に取り付けると共に、その原稿圧着板開閉装置に原稿圧着板を取り付けた状態を示す一部破断側面図である。
【図５】図４に示した状態における原稿圧着板開閉装置の上面図である。
【図６】本発明に係る原稿圧着板開閉装置の他の実施例２を示す斜視図である。
【図７】本発明に係る原稿圧着板開閉装置のさらに他の実施例３を示す斜視図である。
【図８】本発明に係る原稿圧着板開閉装置のさらに他の実施例４を示す斜視図である。
【図９】図８に示した原稿圧着板開閉装置の取り付け状態を示す縦断面図である。
【図１０】本発明に係る原稿圧着板開閉装置のさらに他の実施例５を示す斜視図である。
【図１１】図１０に示した原稿圧着板開閉装置の取り付け状態を示す縦断面図である。
【図１２】本発明に係る原稿圧着板開閉装置のさらに他の実施例６を示す斜視図である。
【図１３】図１２に示した原稿圧着板開閉装置の取り付け状態を示す縦断面図である。
【発明を実施するための形態】
【００１２】
以下、本発明に係る原稿圧着板開閉装置及びこれを備えた事務機器を、添付図面に基づいて詳述する。尚、事務機器としては、例えば、複写機、印刷機、ファクシミリ、スキャナー等が挙げられ、とくに複写機が好ましいものとして挙げられる。以下の説明では複写機を例にとって説明するがこのものに限定されない。
【実施例１】
【００１３】
図１〜図５は本発明に係る原稿圧着板開閉装置の一実施例を示す図である。
本発明に係る原稿圧着板開閉装置１は、図４に示すように、事務機器１０の一例としての複写機の装置本体１１の後端部に、原稿圧着板１２を開閉可能に取り付けるためのものである。また、図４に示した例では、原稿自動送り装置（ＡＤＦ）１２２を有する原稿圧着板１２を本発明に係る原稿圧着板開閉装置１により保持する例が描かれているが、本発明に係る原稿圧着板開閉装置及び事務機器は、原稿自動送り装置の有無に関係なく適用可能なものである。
【００１４】
本発明に係る原稿圧着板開閉装置１は、図１〜図５に示すように、原稿圧着板１２を有する事務機器１０の装置本体１１側に取り付けられる通称１本脚型の取付部材２と、この取付部材２に第１ヒンジシャフト１５を軸に回動可能に取り付けられている支持部材３と、この支持部材３に第２ヒンジシャフト１６により回動可能に取り付けられると共に前記原稿圧着板１２が取り付けられるリフト部材４とを備えている。尚、取付部材２を図示のように合成樹脂の成形品にすると、ＳＵＳ のような金属板をプレス加工してカム部材や受圧ピンを取り付ける構成のものよりもコストダウンを図ることができる利点がある。
支持部材３の内部には、その軸方向にスライド可能に設けられる一対の第１及び第２スライダー６及び７と、これらのスライダーを介してリフト部材４を支持部材３と重なり合う方向へ付勢すると共に原稿圧着板１２を開成方向に回転付勢するコンプレッションスプリングから成る弾性手段５とが設けられ、原稿圧着板１２を回動させて装置本体１１の上面を原稿圧着板１２で覆う閉成状態と、その上面を露出させる開成状態とを形成し得るようになっている。
【００１５】
本発明に係る原稿圧着板開閉装置１は、当該原稿圧着板開閉装置１に対する原稿圧着板１２の前後方向の取り付け位置を調節するための原稿圧着板前後位置調節手段４８が設けられていることを特徴とする。
即ち、図１〜５に示した実施例の原稿圧着板開閉装置１には、前記原稿圧着板１２における後方を向く面１２３Ｒ（仕切壁１２３の後側面。図４参照。）に対向する原稿圧着板開閉装置１上の部位から前方へ向けて突出する、長さ調節可能な原稿圧着板前後位置調節手段４８が設けられる。即ち、図４に示した実施例においては、前記原稿圧着板１２の仕切壁１２３の後側面１２３Ｒに対向する原稿圧着板開閉装置１のリフト部材４の頂板４０上に、原稿圧着板前後位置調節手段４８が設けられる。
この原稿圧着板前後位置調節手段４８としては、好適には、前記原稿圧着板開閉装置１のリフト部材４の頂板４０に設けた雌ネジ孔４９にネジ着された調節ネジ４８１と、この調節ネジ４８１にネジ着された締付ナット４８２と、リフト部材４のフランジ４３、４３に設けた複数の取付長孔４３１と、これらの取付長孔４３１に原稿圧着板１２の取付部１２４を取り付ける複数の取付ネジ１２５と、から成るものが採用されている。取付長孔４３１は原稿圧着板の取付部１２４の側に設けてもよい。頂板４０に対する調節ネジ４８１のねじ込み量を増減することにより、原稿圧着板前後位置調節手段４８と原稿圧着板１２の仕切壁１２３の後側面１２３Ｒとの間の間隔Wを増減でき、締付ナット４８２で締め付けることにより調節ネジ４８１を固定させるので、原稿圧着板１２の前後位置を原稿圧着板の原稿圧着板開閉装置への取り付け時、或は取り付け後の位置調節時に原稿圧着板の前後方向の取り付け位置を調節することができる。
図示した実施例において、調節ネジ４８１としては、例えば、十字穴付なべ小ネジＭ４×１４を用い、これに対する締付ナット４８２としては、ナットＭ４を用いることができる。調節ネジの頭は４角形状或は６角形状に構成してスパナを用いて回転させるようにしてもよい。また、本発明における前後位置調節手段４８は、上記の如き調節ネジ及び締付ナットに限らず、突出長さが調節可能なものであれば、例えばパンタグラフやカム機構などの各種手段を採用し得る。締付ナットは複数重ねて用いてもよい。
【００１６】
原稿圧着板開閉装置１に対する原稿圧着板１２の取付手段としては、例えば図４に示す如く、原稿圧着板１２に設けられた取付部１２４の下端部へ取付ネジ１２５により前記リフト部材４のフランジ４３を固定するものである。即ち、取付ネジ１２５のネジ部は前記フランジ４３に開けた取付長孔４３１を貫通し、取付部１２４にネジ着されることにより、原稿圧着板１２がリフト部材４に取り付けられるようになっている。このとき、前記取付長孔４３１は図１等に示す如く長孔状に形成されているため、前記の前後位置調節手段４８による前記間隔Wの増減に伴う原稿圧着板１２の前後位置の調節に対応することができる。
【００１７】
尚、図示した実施例においては、リフト部材４の上板４１の後端部近傍に、原稿圧着板１２の水平位置（高さ）を調節する水平位置調節手段４６が設けられている。
水平位置調節手段４６は、例えば、リフト部材４の上板４１の後端部近傍であってその幅方向の中央部（略中央部を含む。）に設けられた調節ネジ４６１と締付ナット４６２とからなる。調節ネジ４６１が上板４１の雌ネジ孔４７にネジ着されその先端が支持部材３の上板３１に当接しており、この調節ネジ４６１へ締付ナット４６２がネジ着されている。調節ネジ４６１の左右いずれかの方向への回転により、リフト部材４が第２ヒンジシャフト１６を支点に回動して原稿圧着板１２の取り付け位置の水平（高さ）位置が調節されるようになっている。
【００１８】
なお、図１〜５に示した実施例においては、前記前後位置調節手段４８をリフト部材４の頂板４０上に設けたが、その取り付け箇所はこれに限らず、リフト部材４の上板４１から調節ネジの取付片を切り起こしたり、或は前記支持部材３や前記第２ヒンジシャフト１６に取り付けるようにしてもよい。
【００１９】
以上、本発明の特徴である原稿圧着板の前後位置調節手段４８の構成について説明したが、以下に、原稿圧着板開閉装置１自体の全体的構成についての説明を補足する。
原稿圧着板開閉装置１は、前記のように、原稿圧着板１２を有する事務機器１０の装置本体１１側に取り付けられる取付部材２と、この取付部材２に第１ヒンジシャフト１５を軸に回動可能に取り付けられている支持部材３と、この支持部材３に第２ヒンジシャフト１６により回動可能に取り付けられると共に前記原稿圧着板１２が取り付けられるリフト部材４と、を備えている。
【００２０】
図示した実施例における取付部材２は、差し込み式の取付脚部２ａを有するいわゆる１本脚型の取付部材であり、図４に示す如く、事務機器１０の装置本体１１の後端部に設けた取付孔１１２に取付脚部２ａを上下動可能に挿入、保持されるようになっている。また、取付脚部２ａの下端部には係止突起部２ｂが突設されており、この突起部は装置本体１１側の取付孔１１２に設けたガイド溝１１２ａと係合し取付部材２が不用意に装置本体１１から抜け出ないようになっている。
このように上下動可能な取付脚部２ａを有する取付部材２は、書物のように厚さの厚い原稿（厚物原稿）であっても、これを装置本体１１の上面（コンタクトガラス１１１）に安定して圧着させるためのものである。即ち、厚物原稿を複写等する場合において、厚物原稿をコンタクトガラス１１１上に置き、原稿圧着板１２を閉成方向に回転させると、厚物原稿の開閉装置１側の端部又はその近傍に原稿圧着板１２の開閉装置１の近傍の一部が接触し、厚物原稿の開閉装置１側の端部とは反対側の端部と原稿圧着板１２との間に空間が形成される。即ち、原稿圧着板１２は厚物原稿の上面から浮いた状態となる。その浮いている原稿圧着板１２をコンタクトガラス１１１側に押圧するとその力により、若しくは原稿圧着板１２の自重により、原稿圧着板１２の開閉装置１側の端部が持ち上がるように作用し、これにより取付部材２の取付脚部２ａを引き上げる力が作用して、取付脚部２ａが取付孔１１２内で上方向へ移動する。これに伴い、原稿圧着板１２の開閉装置１と反対側の端部は押し下げられ、原稿圧着板１２が厚物原稿の上部を覆うように移動する。例えば、その厚物原稿の上部が平坦面である場合には、この上部に原稿圧着板１２が面接触し、その結果、厚物原稿の下面が安定してコンタクトガラス１１１に密着されることになる。従って、本実施例における如く、差し込み式の上下動可能な取付脚部２ａを有する取付部材２を用いることにより、原稿の厚さに関係なく、原稿圧着板１２により原稿の上面全体を押圧し、原稿下面を安定してコンタクトガラスに密着させることができ、良好な複写等を行うことができるものである。
【００２１】
図２に示すように、取付部材２の上半部にはカム８が一体的に設けられ、カム８の頂部にはカム面８１が形成されると共に、カム８の主体部には、前記第１ヒンジシャフト１５を挿通するための第１ヒンジシャフト孔８２が形成されている。
カム８に設けた前記第１ヒンジシャフト孔８２に挿通される前記第１ヒンジシャフト１５の両端は、支持部材３の側板３２の後端近くに開けた第１ヒンジシャフト孔３８に挿通され、これによって、カム８（従ってまた、取付部材２）に対して支持部材３が回動可能に支持されるようになっている。
支持部材３は、例えば、天板である上板３１と、上板３１の両側端部からそれぞれ上板３１に対して直交する下方向（略直交する方向も含む。）に延びる側板３２と、側板３２の先端部を互いに対向する側に略９０°折り曲げてなる拘持板３３とからなる。これらの上板３１、両側板３２、拘持板３３で一対の第１スライダー６及び第２スライダー７をスライド可能に収容する収容部３４が形成されるようになっている。第２スライダー７の後面は、前記カム８のカム面８１に当接するようになっている。
【００２２】
支持部材３の両側板３２の前端部（自由端部）近くには、前記第２ヒンジシャフト１６が挿通される第２ヒンジシャフト孔３６が設けられていると共に、後述する作動部材１８が入り込む切欠部３７が設けられている。また、両側板３２には、例えば、支持部材３に対するリフト部材４の回動を行うための摺接部（図示せず）を設けてもよい。摺接部は、例えば、両側板３２の第２ヒンジシャフト孔３６と切欠部３７との間に略円状に２つ形成されている。これらの摺接部は、リフト部材４の側板４２の内面に接して支持部材３の側板３２の外面とリフト部材４の側板４２の内面との間にクリアランスを設けることにより、支持部材３に対するリフト部材４の回動が良好に行われるようにするためのものである。
【００２３】
図１〜５に示した実施例において、リフト部材４は、前記の如く、これに取り付けられた前記水平位置調節手段４６により、原稿圧着板１２の水平位置を調節する機能を有すると共に、後述する如く、補助的に、書物のような厚物原稿を装置本体１１の上面に安定して圧着させる機能を有する。
リフト部材４は、上板４１と、この上板４１の両端部からそれぞれ上板４１に対して直交する下方向（略直交する方向も含む。）に延びる両側板４２とからなる略コ字状の部材であって前記支持部材３を覆うように形成されている。
【００２４】
リフト部材４の両側板４２の前端部近くで上板４１寄りの箇所には第２ヒンジシャフト孔４４が設けられると共に、当該第２ヒンジシャフト孔４４より下の箇所には作動部材である作動部材１８が挿通される作動部材孔４５が設けられている。第２ヒンジシャフト孔４４と支持部材３の両側板３２の第２ヒンジシャフト孔３６とが孔合わせされて、これらの孔に第２ヒンジシャフト１６が挿通されることによって、リフト部材４と支持部材３とが第２ヒンジシャフト１６を軸に互いに回動可能に連結される。両側板４２の作動部材孔４５には作動部材１８が挿通されて固定される。
また、リフト部材４の上板４１の後端部近くには、前記の如く、原稿圧着板１２の水平位置（高さ）を調節する水平位置調節手段４６を設けるようにしてもよい。
【００２５】
第１及び第２コンプレッションスプリング５１と５２から成る弾性手段５は、原稿圧着板１２を開成方向に回転付勢すると共に、リフト部材４を支持部材３と重なり合う方向へ付勢し、かつ、原稿圧着板１２が任意の回動角度以下のとき、原稿圧着板１２を付勢する弾力が原稿圧着板１２のモーメントより小さくなるように設定されている。
なお、本発明において開成方向とは、原稿圧着板１２を回転させる際に原稿圧着板１２が装置本体１１の上部のコンタクトガラス１１１から離間する方向をいう。
本発明において閉成方向とは、開成方向とは反対の方向で原稿圧着板１２を回転させる際に原稿圧着板１２がコンタクトガラス１１１に近づく方向をいう。
本発明における回動角度とは、装置本体１１の上面であるコンタクトガラス面に対する原稿圧着板１２の開閉角度である。
【００２６】
弾性手段５を構成するコンプレッションスプリングは、その個数はとくに限定されず、１つでも２つ以上でもよく、また、２つ以上を並列させてもよく、例えば、図示例では、径の大きい第１コンプレッションスプリング５１の中に径の小さな第２コンプレッションスプリング５２を入れたものを用いている。
即ち、コンプレッションスプリングから成る弾性手段５は、原稿圧着板１２を開成方向に回転付勢すると共に、原稿圧着板１２が所定の回動角度（例えば、略２０°）以下のとき、原稿圧着板１２を付勢する弾力が原稿圧着板１２のモーメントより小さくなるならばどのように構成してもよい。
【００２７】
第１スライダー６及び第２スライダー７は、それぞれ断面矩形の有底筒体状に形成されている。第１スライダー６及び第２スライダー７には、前記大径及び小径の２本の第１及び第２コンプレッションスプリング５１、５２からなる弾性手段５の端部をそれぞれ個別に収容するスプリング収容部６５、７５（図３参照）がそれぞれ設けられている。
【００２８】
第１スライダー６及び第２スライダー７は、互いの開口部が向き合うと共にこれらの間に弾性手段５の両端部が収容された状態で支持部材３の収容部３４にそれぞれ個別に摺動可能に収装された状態で挿入されている。第１スライダー６及び第２スライダー７は、事務機器の装置本体１１の上面と支持部材３（その上板３１）が略平行になっているとき（例えば、装置本体１１の上面のコンタクトガラス１１１上に原稿圧着板１２を密着させたとき、即ち、原稿圧着板１２が閉成位置にあるとき）、支持部材３の収容部３４内に嵌合される長さに形成されている。
【００２９】
第１スライダー６が弾性手段５の弾力によって作動部材１８を押圧して、支持部材３とリフト部材４とが重なり合うように付勢される。即ち、弾性手段５の弾力によってリフト部材４の上板４１が支持部材３の上板３１に当接又は近接するようになっている。このとき、上板４１が例えばコンタクトガラス１１１に対して略平行になるようになっていることが好ましい。なお、支持部材３の上板３１にリフト部材４の上板４１を当接又は近接するようにしてもよい。
【００３０】
第２スライダー７の底部の外表面（後面）の略中央部には、突部７１が設けられている。この突部７１の下方は漸次傾斜された傾斜部７２として形成されている。この第２スライダー７の底部の外表面の突部７１及び傾斜部７２がカムとして形成され、前記カム８のカム面８１と圧接するようになっている。
即ち、閉成位置にある原稿圧着板１２をコンタクトガラス１１１から離間する方向（上方）に第１ヒンジシャフト１５を軸に回転させると、カム８のカム面８１に当接する箇所が突部７１から傾斜部７２へと徐々に摺動すると共に、第２スライダー７が弾性手段５によって支持部材３内を後端部側へと押圧されて摺動し、弾性手段５が徐々に伸びる。そして、原稿圧着板１２が最大使用開放角度（例えば、略６０°〜略７０°）になると、その開閉が原稿圧着板開閉規制機構（図示せず）によって規制されるようになっている。
【００３１】
次に、本発明に係る原稿圧着板開閉装置１及び事務機器１０の作用を説明する。
【００３２】
原稿圧着板１２は、事務機器１０の装置本体１１が使用されていない状態では、装置本体１１のコンタクトガラス１１１に密着されている。コンタクトガラス１１１上に原稿を載置するには、まず、リフト部材４が取り付けられている箇所とは反対側の原稿圧着板１２の前端部又はその近傍等に設けられている把持部を持って、原稿圧着板１２を上方に持ち上げる。即ち、原稿圧着板１２を第１ヒンジシャフト１５のみを軸にして回転させてコンタクトガラス面を外部に露出させる。
このように原稿圧着板１２を回転させるとき、原稿圧着板１２は、弾性手段５の弾力によって開成方向に回転付勢されているので、重量を感じさせることなく開成方向に回転することができる。
【００３３】
露出したコンタクトガラス面上に原稿を載置した後、持ち上げた原稿圧着板１２を降ろす。即ち、原稿圧着板１２をコンタクトガラス１１１と接触する閉成方向に第１ヒンジシャフト１５を軸に回転させて下方に移動させて閉成状態にする。原稿圧着板１２が閉成状態になると、原稿が薄い紙である場合には、原稿圧着板１２によって原稿をコンタクトガラス上から浮き上がることなく確実にコンタクトガラス１１１に密着させることができるので、原稿を良好に複写等することができる。即ち、原稿圧着板１２とコンタクトガラス１１１との間に光が入らないように原稿圧着板１２がコンタクトガラス１１１に密着されて、原稿を良好に複写等することができる。
【００３４】
なお、図１〜５の実施例１においては、本のような厚物原稿に対しては、前記の如く、取付部材２の差し込み式の取付脚部２ａの上下動をメインとして対応するものであるが、補助的には、リフト部材４の機能を利用して厚物原稿に一層広範囲に対応し得るようになっている。
即ち、例えば本のような厚物原稿の場合、原稿圧着板１２を閉成方向に回転させると、原稿の支持部材３側の端部又はその近傍に原稿圧着板１２の支持部材３の近傍の一部が接触し、原稿の支持部材３側の端部とは反対側の端部と原稿圧着板１２との間に空間が形成される。即ち、原稿圧着板１２は浮いた状態となる。その浮いている原稿圧着板１２をコンタクトガラス１１１側に押圧するとその力により、若しくは原稿圧着板１２の自重により、作動部材１８が第１スライダー６を押圧して弾性手段５の弾力に抗して第１スライダー６が弾性手段５側に移動すると共に、原稿圧着板１２（リフト部材４）が第２ヒンジシャフト１６を軸に回転する。つまり、原稿の上部を覆うように原稿圧着板１２が移動する。例えば、その原稿の上部が平坦面である場合には、この上部に原稿圧着板１２が面接触する。その結果、厚さが厚い原稿が安定してコンタクトガラスに密着されることになる。よって、原稿圧着板１２は、原稿の厚さに関係なく原稿を安定してコンタクトガラスに密着することができ、原稿を良好に複写等することができる。
【実施例２】
【００３５】
図６は他の実施例２を示し、図面によればこの実施例２は、原稿圧着板開閉装置１０５の原稿圧着板前後位置調節手段１００を構成する調節ネジ１０１及び締付ナット１０２を、支持部材１０３の頂板１０３ａ上に取り付けてある。
この場合、図１〜５の実施例１に示したようにリフト部材１０４に頂板は設けることなく、支持部材１０３に設けた頂板１０３ａを露出させることにより、頂板１０３ａを前記原稿圧着板１２の仕切壁１２３の後側面１２３Ｒ（図４参照）に対向させ、この支持部材１０３の頂板１０３ａ上に前後位置調節手段１００を構成する調節ネジ１０１及び締付ナット１０２を取り付けるものである。この場合においても、頂板１０３ａに対する調節ネジ１０１のねじ込み量を増減することにより前記の間隔Wを増減させ、原稿圧着板１２の前後位置を調節することができる。
【実施例３】
【００３６】
図7に示した実施例３においては、原稿圧着板開閉装置１０６の原稿圧着板前後位置調節手段１１０を構成する調節ネジ１１５及び締付ナット１１６を第２ヒンジシャフト１１７上に取り付けてある。
この場合、図１〜５に示した実施例１におけるリフト部材４の頂板４０や、図６に示した実施例２における支持部材１０３の頂板１０３ａは設けることなく、第２ヒンジシャフト１１７を露出させることにより、原稿圧着板１２の仕切壁１２３の後側面１２３Ｒ（図４参照）に対向させ、第２ヒンジシャフト１１７上に原稿圧着板前後位置調節手段１１０を構成する調節ネジ１１５及び締付ナット１１６を取り付けるものである。この場合においても、第２ヒンジシャフト１１７に対する調節ネジ１１５のねじ込み量を増減することにより前記間隔Wを増減させ、原稿圧着板１２の前後位置を調節することができる。
【実施例４】
【００３７】
図８と図９は、本発明に係る原稿圧着板開閉装置の他の実施例４を示し、図面によれば、この実施例４に係る原稿圧着板開閉装置１０７は、実施例２のもののように、リフト部材を省略させたもので、取付部材１１８の取付脚部１１８ａを事務機器の１０の装置本体１１の取付孔１１２に対して上下動させることにより、原稿圧着板１２を厚物原稿に対してリフトアップさせるものである。この実施例４の場合には、実施例１のように支持部材の頂板側に設けられる弾性手段のスライダーは省略されている。そして、この実施例４の場合、原稿圧着板前後位置調節手段１０８を構成する調節ネジ１１９と締付ナット１２０は、支持部材１３０の頂板１３０ａか、或は支持部材１３０の上板１３０ｂより切り起こした図示してない取付板に設けられるものである。即ち、図示したものは、支持部材１３０の頂板１３０ａに設けた雌ネジ孔１３０ｃに調節ネジ１１９がネジ着され、この調節ネジ１１９に締付ナット１２０が取り付けられている。この実施例においては、支持部材１３０の両側板１３０ｄの一部が切り開かれ、両側板の下部領域は外側へ折り曲げられてフランジ部１３０ｅを形成し、両側板の中央領域は内側へ折り曲げられてスライダーガイド１３０ｇを形成するようになっている。フランジ部１３０ｅには、原稿圧着板１２の取付部１２４を取り付けるための取付ネジ１２５と係合する取付長孔１３０ｆが形成されている。前記頂板１３０ａの左右端に形成した耳部１３０ａ’は、両側板１３０ｄの前端近くに開けたスロット１３０ｄ’に挿入され、外力に対する頂板１３０ａの強度と安定性を高めるようになっている。取付部材１１８の機能や作用効果は実施例１のものと同じであるので、説明を省略する。
【実施例５】
【００３８】
図１０と図１１は、本発明に係る原稿圧着板開閉装置のさらに他の実施例５を示し、図面によれば、この実施例５に係る原稿圧着板開閉装置１３１は、取付部材１３２の取付脚部１３２ａを筒状に構成してその中に弾性手段１３３とスライダー１３４を収装し、この取付脚部１３２ａの上部に設けた取付部１３２ｂにヒンジシャフト１３５を介して支持部材１３６を回動可能に取り付けたものであり、原稿圧着板１２がこの支持部材１３６へ取り付けられるものである。また、支持部材１３６には、その上板１３６ｆの内面にカム部１３６ａが取付ネジ１３６ｇによって固着され、このカム部１３６ａがスライダー１３４の上面と圧接している。この実施例５の場合には、リフト部材を支持部材の自由端側へ第２ヒンジシャフトを用いて取り付けてもよいし、図示したように、装置本体１１側に設けた取付脚部１３２ａを取付孔１１２に対して上下動可能に取り付けてもよい。そして、この実施例５の場合で図示したものは、リフト部材を用いていず、原稿圧着板前後位置調節手段１３７の調節ネジ１３８と締付ナット１３９は、支持部材１３６の頂板１３６ｂに設けられている。即ち、図示したものは、支持部材１３６の頂板１３６ｂに設けた雌ネジ孔１３６ｃに調節ネジ１３８がネジ着され、この調節ネジ１３８に締付ナット１３９が取り付けられており、さらに、支持部材１３６に原稿圧着板１２の取付部１２４を取り付けるフランジ部１３６ｄが設けられ、このフランジ部１３６ｄに取付ネジ１４０と係合する取付長孔１３６ｅが設けられている。その変形実施例と作用効果は実施例１のものと同じであるので、説明を省略する。
【実施例６】
【００３９】
図１２と図１３は、本発明に係る原稿圧着板開閉装置のさらに他の実施例６を示し、図面によれば、この実施例６に係る原稿圧着板開閉装置１４５は、取付部材１４６を、ＳＵＳのような金属板をプレス加工して作ったもので、他の構成は実施例１のものと同じである。この取付部材１４６は、底板１４６ａと、この底板１４６ａの両側部から立ち上げた両側板１４６ｂ、１４６ｂと、底板１４６ａの後部に立ち上げた後板１４６ｃとで構成されており、両側板１４６ｂ、１４６ｂに支持部材１４７の両側板１４７ａ、１４７ａを第１ヒンジピン１４８で回動可能に連結すると共に、両側板１４７ａ、１４７ａにはスライダー１５０を受ける受圧部材１４９が取り付けられている。受圧部材１４９は、図示のものは、固定シャフト１４９ａとこの固定シャフト１４９ａに回転可能に取り付けられた回転筒部１４９ｂから構成されているが、これを１本の固定或は回転シャフトとしたり、或はカム状のものとしてもよい。指示記号９５のものは、取付部材１４６を装置本体１１へ取り付ける取付ネジである。
なお、この実施例６における取付部材１４６は、図１〜５に示した実施例における差し込み式の取付脚部２ａを有する取付部材２とはその構成が異なるため、本のような厚物原稿に対して、差し込み式の取付脚部２ａのような上下動によって対応するのではなく、もっぱらリフト部材４、作動部材１８、第１スライダー６等の作動により対応するようになっている。
即ち、前記の如く、例えば本のような厚物原稿の場合、原稿圧着板１２（図１３参照）を閉成方向に回転させると、原稿の開閉装置１４５側の端部又はその近傍に原稿圧着板１２の開閉装置１４５の近傍の一部が接触し、原稿の開閉装置１４５側の端部とは反対側の端部と原稿圧着板１２との間に空間が形成される。即ち、原稿圧着板１２は浮いた状態となる。その浮いている原稿圧着板１２をコンタクトガラス１１１側に押圧するとその力により、若しくは原稿圧着板１２の自重により、作動部材１８が第１スライダー６を押圧して弾性手段５の弾力に抗して第１スライダー６が弾性手段５側に移動すると共に、原稿圧着板１２（リフト部材４）が第２ヒンジシャフト１６を軸に回転する。つまり、原稿の上部を覆うように原稿圧着板１２が移動する。例えば、その原稿の上部が平坦面である場合には、この上部に原稿圧着板１２が面接触する。その結果、厚物原稿が安定してコンタクトガラスに密着されることになる。よって、原稿圧着板１２は、原稿の厚さに関係なく原稿を安定してコンタクトガラス１１１に密着させることができ、原稿を良好に複写等することができる。
なお、支持部材とリフト部材、及び原稿圧着板前後位置調節手段の構成は実施例１と同じであるので、詳しい説明は省略する。
【００４０】
本発明に係る事務機器１０は、その装置本体１１の後端部に、上記の如く構成された本発明に係る原稿圧着板開閉装置１、１０５、１０６、１０７、１３１、１４５を備えたものであり、前記の如く、原稿圧着板前後位置調節手段４８、１００、１１０、１０８、１３７を設けることより、装置本体１１に対する原稿圧着板１２の前後位置の調節を容易かつ正確に行い得るようにしたものである。
なお、本発明に係る事務機器１０の装置本体１１と原稿圧着板１２とを左右一対の原稿圧着板開閉装置１、１０５、１０６、１０７、１３１、１４５により連結する場合においては、少なくともその一方を前記の本発明に係る原稿圧着板開閉装置１、１０５、１０６、１０７、１３１、１４５により連結することによって、原稿圧着板１２の左右端の前後位置のズレを容易に修正することができる。尚、原稿圧着板開閉装置を一対設ける場合には、その一方を本発明に係るものにすることができる。
【００４１】
なお、本発明に係る原稿圧着板開閉装置及び事務機器は、前記実施例のものに限らず、本願特許請求の範囲に記載の技術的範囲内において、前記の説明から当業者が容易に想到し得るすべての変更実施例を包摂するものである。
【産業上の利用可能性】
【００４２】
以上説明したように本発明に係る原稿圧着板開閉装置及び事務機器は、原稿圧着板開閉装置に対する原稿圧着板の前後位置の調節を簡単な機構で、しかも正確に行えることから、とくに複写機、印刷機、ファクシミリ、スキャナー等の事務機器に好適に適用し得るものである。
【符号の説明】
【００４３】
１      原稿圧着板開閉装置
２      取付部材
３      支持部材
４      リフト部材
５      弾性手段（コンプレッションスプリング）
６      第１スライダー
７      第２スライダー
８      カム
１０    事務機器
１１    装置本体
１２    原稿圧着板
１５    第１ヒンジシャフト
１６    第２ヒンジシャフト
１８    作動部材
３０    頂板
３１    上板
３２    側板
３３    拘持板
３４    収容部
３６    第２ヒンジシャフト孔
３７    切欠部
３８    第１ヒンジシャフト孔
４０    頂板
４１    上板
４２    側板
４３    フランジ
４４    第２ヒンジシャフト孔
４５    作動部材孔
４６    水平位置調節手段
４７    ネジ孔
４８    前後位置調節手段
４９    雌ネジ孔
５１    第１コンプレッションスプリング
５２    第２コンプレッションスプリング
６５    スプリング収容部
７１    突部
７２    傾斜部
７５    スプリング収容部
８１    カム面
８２    第１ヒンジシャフト孔
１００  原稿圧着板前後位置調節手段
１０１  調節ネジ
１０２  締付ナット
１０３  支持部材
１０３ａ  頂板
１０５  原稿圧着板開閉装置
１０６  原稿圧着板開閉装置
１０７  原稿圧着板開閉装置
１０８  原稿圧着板前後位置調節手段
１１０  原稿圧着板前後位置調節手段
１１１  コンタクトガラス
１１２  取付孔
１１２ａ  ガイド溝
１１５  調節ネジ
１１６  締付ナット
１１７  第２ヒンジシャフト
１１８  取付部材
１１８ａ  取付脚部
１１９  調節ネジ
１２０  締付ナット
１２１  天板
１２２  ＡＤＦ
１２３  仕切壁
１２３Ｒ  後方を向く面
１２４  取付部
１２５  取付ネジ
１３０  支持部材
１３０ａ  頂板
１３０ｂ  上板
１３０ｃ  雌ネジ孔
１３０ｄ  側板
１３０ｅ  フランジ部
１３０ｆ  取付長孔
１３０ｇ  スライダーガイド
１３１  原稿圧着板開閉装置
１３２  取付部材
１３２ａ  取付脚部
１３２ｂ  取付部
１３３  弾性手段
１３４  スライダー
１３５  ヒンジシャフト
１３６  支持部材
１３６ａ  カム部
１３６ｂ  頂板
１３６ｃ  雌ネジ孔
１３６ｄ  フランジ部
１３６ｅ  取付長孔
１３６ｆ  上板
１３６ｇ  取付ネジ
１３７  原稿圧着板前後位置調節手段
１３８  調節ネジ
１３９  締付ナット
１４０  取付ネジ
１４５  原稿圧着板開閉装置
１４６  取付部材
１４６ａ  底板
１４６ｂ  側板
１４６ｃ  後板
１４７  支持部材
１４７ａ  側板
１４８  第１ヒンジピン
１４９  受圧部材
１５０  スライダー
４３１  取付長孔
４６１  調節ネジ
４６２  締付ナット
４８１  調節ネジ
４８２  締付ナット
【図１】
0005881137.tif 000002
【図２】
0005881137.tif 000003
【図３】
0005881137.tif 000004
【図４】
0005881137.tif 000005
【図５】
0005881137.tif 000006
【図６】
0005881137.tif 000007
【図７】
0005881137.tif 000008
【図８】
0005881137.tif 000009
【図９】
0005881137.tif 000010
【図１０】
0005881137.tif 000011
【図１１】
0005881137.tif 000012
【図１２】
0005881137.tif 000013
【図１３】
0005881137.tif 000014